(57)【要約】【課題】加熱調理器の電源スイッチの操作性を向上する。【解決手段】加熱調理器の本体の上方に配設されている天板は、被加熱物が載置される載置部を有している。また、これらの載置部よりも前方には、操作部が配設されている。操作部において、加熱調理器の電源を制御する電源スイッチは、左端部の載置部に対応する位置と右端部の載置部に対応する位置とにより画定される領域内に配置されていると共に、本体の前面に配設されている意匠カバーと扉部材との境界に相当する位置に配置されている。【選択図】図１
2018018649.tif 000002
【特許請求の範囲】
【請求項１】
内部に加熱手段が配設されている本体と、前記本体の上方に配設されている天板と、
前記本体の前面に配設されている意匠カバーと、前記本体の前面に形成されている開口に対して開閉自在に設けられ、前記意匠カバーと並置されている扉部材とを有する加熱調理器であって、
前記天板は、被加熱物が載置される複数の載置部と、前記複数の載置部よりも前方に配設されている操作部とを有し、
前記操作部は、前記加熱調理器の電源を制御する電源スイッチと、前記加熱手段を制御するための複数の操作手段とを有し、
前記操作部において、前記電源スイッチが、前記複数の載置部のうち左端部の載置部に対応する位置と前記複数の載置部のうち右端部の載置部に対応する位置とにより画定される領域内に配置されていると共に、前記意匠カバーと前記扉部材との境界に相当する位置に配置されている加熱調理器。
【請求項２】
前記電源スイッチは、前記複数の操作手段よりも、前記加熱手段から遠い位置に配置されている請求項１に記載の加熱調理器。
【請求項３】
前記電源スイッチの外形は、前記複数の操作手段の外形よりも大きい請求項１又は２に記載の加熱調理器。
【請求項４】
前記電源スイッチの外周縁に発光手段が設けられている請求項１〜３のいずれか１項に記載の加熱調理器。
【請求項５】
前記意匠カバーおよび前記扉部材の少なくとも一方に、触覚により前記電源スイッチの位置を示す感知手段が形成されている請求項１〜４のいずれか１項に記載の加熱調理器。
【請求項６】
前記感知手段は、前記意匠カバーおよび前記扉部材の少なくとも一方の前記境界の近傍において、前記意匠カバーおよび前記扉部材の少なくとも一方の表面から内方へ窪んでいる凹状部である請求項５に記載の加熱調理器。
【請求項７】
前記感知手段は、前記意匠カバーおよび前記扉部材の少なくとも一方の前記境界の近傍において、前記意匠カバーおよび前記扉部材の少なくとも一方の表面から突出している凸状部である請求項５に記載の加熱調理器。
【請求項８】
前記意匠カバーおよび前記扉部材の少なくとも一方に、前記境界の近傍において、点字シールを貼付するための凹部が形成されている請求項１〜４のいずれか１項に記載の加熱調理器。
【発明の詳細な説明】
【技術分野】
【０００１】
本発明は、トッププレート上に載置される被加熱物を加熱コイルで加熱する加熱調理器に関する。
【背景技術】
【０００２】
従来、加熱調理器の上面にはトッププレートが配設されており、トッププレート上に載置される被加熱物を加熱コイルで加熱するようになっている。また、加熱調理器には本体の内部にグリル部を具備したものがある。グリル部は、加熱調理器の本体内部において前面からみて左右方向の一方の側に配置されている。本体の前面に設けられた扉を開け、グリル部内に魚等の被加熱物を挿入し、扉を閉めることにより被加熱物への加熱処理が可能となっている。このような加熱調理器には、調理を行うユーザが立つ前方側に電源スイッチ、および被加熱物の加熱条件等を操作する各種操作手段が配置されている。例えば、特許文献１に記載の加熱調理器には、前面に電源スイッチが配設されている。また、特許文献２に記載の加熱調理器は、上面側においてトッププレートの前方側の縁部に操作パネルが設けられており、操作パネルに電源スイッチが配置されている。
【先行技術文献】
【特許文献】
【０００３】
【特許文献１】特開２００６−２１０１４６号公報
【特許文献２】特開２０１５−１５５７７８号公報
【発明の概要】
【発明が解決しようとする課題】
【０００４】
特許文献１に記載の加熱調理器および特許文献２に記載の加熱調理器において、電源スイッチは、右端部の近傍に位置づけられている。従って、利き手が左手の使用者には電源スイッチの操作がしにくい。また、特許文献２の加熱調理器は、操作パネルに電源スイッチと共に各種操作手段が配置されている。そのため、トッププレート上で調理中に吹きこぼれ等の緊急事態が発生した場合、電源スイッチと各種操作手段との見分けがつきにくく、迅速に対応することが困難な場合がある。また、特許文献２の加熱調理器のように上面側に電源スイッチが配置されていると、上述の緊急事態の場合、電源スイッチを操作する際、プレート上の加熱源に触れてしまう可能性もある。
【０００５】
本発明は、上述のような課題を背景としてなされたものであり、加熱調理器の電源スイッチの操作性の向上を目的としている。
【課題を解決するための手段】
【０００６】
本発明に係る加熱調理器は、内部に加熱手段が配設されている本体と、前記本体の上方に配設されている天板と、前記本体の前面に配設されている意匠カバーと、前記本体の前面に形成されている開口に対して開閉自在に設けられ、前記意匠カバーと並置されている扉部材とを有する加熱調理器であって、前記天板は、被加熱物が載置される複数の載置部と、前記複数の載置部よりも前方に配設されている操作部とを有し、前記操作部は、前記加熱調理器の電源を制御する電源スイッチと、前記加熱手段を制御するための複数の操作手段とを有し、前記操作部において、前記電源スイッチが、前記複数の載置部のうち左端部の載置部に対応する位置と前記複数の載置部のうち右端部の載置部に対応する位置とにより画定される領域内に配置されていると共に、前記意匠カバーと前記扉部材との境界に相当する位置に配置されているものである。
【発明の効果】
【０００７】
本発明によれば、電源スイッチが、天板の複数の載置部のうち左端部の載置部に対応する位置と右端部の載置部に対応する位置とにより画定される領域内に配置されていると共に、意匠カバーと扉部材との境界に相当する位置に配置されている。そのため、ユーザの利き手が右手であっても左手であっても、電源スイッチを操作する際、無理に腕を伸ばす必要がない。さらに、指で境界をタッチし、そのまま指を上方に移動させることにより、指を電源スイッチに容易に位置づけることができる。従って、ユーザに視覚の障害があったとしても、載置部の側へ不用意に手や指を伸ばすことが防止される。
【図面の簡単な説明】
【０００８】
【図１】本発明の実施の形態１に係る加熱調理器の斜視図である。
【図２】実施の形態１に係る加熱調理器において扉部材を取り外した状態を示す斜視図である。
【図３】本発明の実施の形態２に係る加熱調理器の斜視図である。
【図４】本発明の実施の形態３に係る加熱調理器の斜視図である。
【図５】本発明の実施の形態４に係る加熱調理器の斜視図である。
【発明を実施するための形態】
【０００９】
以下、本発明の加熱調理器の好適な実施の形態について図面を用いて説明する。なお、以下に説明する実施の形態によって本発明が限定されるものではない。また、図面における各構成部材の大きさ、形状は、説明のためにわかりやすく表しており、実際の大きさ、形状と異なる場合がる。
【００１０】
実施の形態１．
図１は、本発明の実施の形態１に係る加熱調理器の斜視図である。図２は、実施の形態１に係る加熱調理器において扉部材を取り外した状態を示す斜視図である。加熱調理器１００は、本体１と、本体の上方に配設されている天板２とを有している。本体１の前面には、右側に意匠カバー３が配設され、左側に扉部材４が配設されている。意匠カバー３および扉部材４は、本体１の前面において並置されている。本体１の内部には収納室１０が設けられている。
【００１１】
扉部材４は、扉４１とトレー４２とを有している。トレー４２は、収納室１０に配設されたレール（図示せず）に案内されて、収納室１０の内外に出し入れ可能に構成されている。図１は、トレー４２を収納室１０の中に収納した状態が示されており、収納室１０の開口部１０Ａは扉４１により閉じられている。つまり、意匠カバー３の前面と扉部材４の前面、すなわち扉４１の前面とが略同一面となる。図２は、トレー４２を収納室１０の外に取り出した状態が示されており、収納室１０の開口部１０Ａを介して収納室１０の内部が見えている。
【００１２】
天板２には被加熱物が載置される載置部５１、５２、および５３が設けられている。載置部５１は、天板２の中央より右側に設けられており、載置部５２は、天板２の中央より左側に設けられており、天板２の左右方向において並置されている。載置部５３は、載置部５１および載置部５２の後方において、天板２の左右方向の略中央に設けられている。
【００１３】
本体１の内部には、加熱調理器１００を全体的に制御する制御基板（図示せず）が配設されている。また、本体１の内部には、載置部５１、載置部５２、載置部５３のそれぞれに対応して加熱手段（図示せず）が配設されている。加熱手段は、例えば、誘導加熱コイルやラジエントヒーター等である。
【００１４】
天板２の前方側の縁部には、操作部６が設けられている。操作部６は、電源スイッチ６０と、載置部５１、５２、５３における加熱条件等を操作するための複数の操作ボタン群６１、６２とを有している。電源スイッチ６０は、加熱調理器１００の電源をＯＮ／ＯＦＦをするためのスイッチである。操作ボタン群６１は、載置部５１における加熱条件等を操作するための複数のボタンを有している。操作ボタン群６２は、載置部５２における加熱条件等を操作するための複数のボタンを有している。
【００１５】
電源スイッチ６０は、操作部６において左右方向の左端部の載置部５２に対応する位置と左右方向の右端部の載置部５１に対応する位置とにより画定される領域内に配置されている。さらに、電源スイッチ６０は、意匠カバー３と扉部材４との境界７に相当する位置に配置されている。つまり、電源スイッチ６０は、操作ボタン群６１と操作ボタン群６２との間に配置されている。
【００１６】
電源スイッチ６０の載置部５１の中心からの距離Ｌ１０は、操作ボタン群６１の各ボタンの載置部５１の中心からの距離Ｌ１１、Ｌ１２、およびＬ１３よりも長い。すなわち、電源スイッチ６０は、操作ボタン群６１の各ボタンよりも、載置部５１に対応する加熱手段から遠い位置に配置されている。また、電源スイッチ６０の載置部５２の中心からの距離Ｌ２０は、操作ボタン群６２の各ボタンの載置部５２の中心からの距離Ｌ２１、Ｌ２２、およびＬ２３よりも長い。すなわち、電源スイッチ６０は、操作ボタン群６２の各ボタンよりも、載置部５２に対応する加熱手段から遠い位置に配置されている。
【００１７】
さらに、図１および図２に示すように、電源スイッチ６０の外形は、操作ボタン群６１の各ボタン、および操作ボタン群６２の各ボタンよりも、大きく形成されている。
【００１８】
本実施の形態１によれば、電源スイッチ６０は、操作部６において、左端部の載置部５２に対応する位置と右端部の載置部５１に対応する位置とにより画定される領域内に配置されている。従って、ユーザの利き手が右手であっても左手であっても、電源スイッチ６０を操作するにあたり、無理に腕を伸ばす必要がない。さらに、電源スイッチ６０は、操作部６において、意匠カバー３と扉部材４との境界７に相当する位置に配置されている。そのため、指で境界７をタッチし、そのまま指を上方に移動させることにより、指を電源スイッチ６０に容易に位置づけることができ、加熱調理器１００の電源のオン／オフを操作することができる。従って、ユーザに視覚の障害があっても、載置部５１および載置部５２の側へ不用意に手や指を伸ばすことが防止される。なお、境界７を形成する意匠カバー３と扉部材４の縁部は、面取り形状又はＲ形状とすることで角を無くし、指で触れやすくするとよい。
【００１９】
また、本実施の形態１によれば、電源スイッチ６０は、操作ボタン群６１の各ボタンよりも、載置部５１から遠い位置に配置されており、操作ボタン群６１の各ボタンよりも、載置部５１に対応する加熱手段から遠い位置に位置している。同様に、電源スイッチ６０は、操作ボタン群６２の各ボタンよりも、載置部５２に対応する加熱手段から遠い位置に配置されており、操作ボタン群６２の各ボタンよりも、載置部５２に対応する加熱手段から遠い位置に配置されている。従って、調理中に加熱調理器１００の電源をオフしようとしてユーザが電源スイッチ６０に手を伸ばしても、高熱の部位に手を接触させてしまうことが防止される。
【００２０】
さらに、本実施の形態１においては、電源スイッチ６０の外形は、操作ボタン群６１の各ボタン、および操作ボタン群６２の各ボタンよりも、大きく形成されている。そのため、電源スイッチ６０は、操作ボタン群６１、操作ボタン群６２と視覚的に区別しやすい。従って、電源スイッチ６０を押す際、誤って他の操作ボタンを押すことが防止される。
【００２１】
実施の形態２．
図３は、本発明の実施の形態２に係る加熱調理器の斜視図である。図３において、実施の形態１と同様の部材には図１と同一の符号が付されている。これらの部材の説明は省略する。図３に示されるように、加熱調理器２００の電源スイッチ６０の外周縁には、リング状の発光手段６３が設けられている。発光手段６３は、上述の制御手段に接続されており、点灯および消灯は制御手段からの信号により制御される。
【００２２】
実施の形態２によれば、電源スイッチ６０の外周縁に発光手段６３が配置されているため、電源スイッチ６０は、操作ボタン群６１、操作ボタン群６２と視覚的に区別しやすい。従って、電源スイッチ６０を押す際、誤って他の操作ボタンを押すことが防止される。
【００２３】
実施の形態３．
図４は、本発明の実施の形態３に係る加熱調理器の斜視図である。図４において、実施の形態２と同様の部材には図３と同一の符号が付されている。これらの部材の説明は省略する。加熱調理器３００の意匠カバー３の表面には、意匠カバー３の上側の辺部と境界７側の左辺部とが交差する角部の近傍に、触覚により電源スイッチ６０の位置を報知する感知手段８１が形成されている。感知手段８１は、意匠カバー３の表面から内方へ窪んでいる凹状部である。感知手段８１は、矢印の形状を有しており、矢先が上方を向くよう配置されている。扉部材４の表面には、扉部材４の上側の辺部と境界７側の右辺部とが交差する角部の近傍に、触覚により電源スイッチ６０の位置を報知する感知手段８２が形成されている。感知手段８２は、感知手段８１と同様、扉部材４の表面から内方へ窪んでいる凹状部であり、矢印の形状を有しており、矢先が上方を向くよう配置されている。感知手段８１および感知手段８２は、同一の大きさを有しており、上下方向においてそれぞれの矢先の位置が略同じ高さとなるよう、左右方向において並置されている。
【００２４】
本実施の形態３によれば、境界７の近傍であって、意匠カバー３および扉部材４の上方側に、一対の感知手段８１、８２が形成されている。そのため、ユーザは指で感知手段８１、８２をタッチし、そのまま指を上方に移動させることにより、電源スイッチ６０の位置を知ることができる。すなわち、ユーザは、感知手段８１、８２を介して、指の触覚により電源スイッチ６０の位置を知ることができ、指を電源スイッチ６０に容易に位置づけ、加熱調理器３００の電源のオン／オフを操作することができる。従って、ユーザに視覚の障害があっても、載置部５１および載置部５２の側へ不用意に手や指を伸ばすことが防止される。
【００２５】
また、本実施の形態３によれば、感知手段８１および８２は矢印の形状をし、それぞれの矢先が電源スイッチ６０の方向を向いている。従って、感知手段８１および８２に指で触れたユーザは、電源スイッチ６０の位置を容易に推察することができる。
【００２６】
感知手段８１および感知手段８２は、凹状部であるがこれに限るものではない。それぞれの表面から突出している凸状部として形成されてもよい。また、感知手段８１および感知手段８２は、矢印形状としたが、電源スイッチ６０の位置を知らせるものであればこれに限らない。例えば、文字や点字でもよい。
【００２７】
本実施の形態３においては、一対の感知手段８１、８２が形成されているがこれに限るものではない。意匠カバー３および扉部材４のいずれか一方に形成してもよい。
【００２８】
実施の形態４．
図５は、本発明の実施の形態４に係る加熱調理器の斜視図である。図５において、実施の形態２と同様の部材には図３と同一の符号が付されている。これらの部材の説明は省略する。加熱調理器４００の意匠カバー３の表面には、意匠カバー３の上側の辺部と境界７側の左辺部とが交差する角部の近傍に、矩形の凹部９１が形成されている。扉部材４の表面には、扉部材４の上側の辺部と境界７側の右辺部とが交差する角部の近傍に、矩形の凹部９２が形成されている。境界７の近傍に矩形の凹部９１が形成されている。凹部９１および凹部９２は、上下方向において略同じ高さとなるよう、左右方向において並置されている。凹部９１および凹部９２は、所定の点字シールを貼付するためのものである。
【００２９】
本実施の形態４によれば、境界７の近傍であって、意匠カバー３および扉部材４の上方側に、点字シールを貼付するための一対の凹部９１、９２が形成されている。従って、加熱調理器４００の購入後に、ユーザの視力の状態に応じて、適宜点字シールを貼付することができ、操作性を確保することができる。
【００３０】
本実施の形態４においては、一対の凹部９１、９２が形成されているがこれに限るものではない。意匠カバー３および扉部材４のいずれか一方に形成してもよい。
【符号の説明】
【００３１】
１  本体、２  天板、３  意匠カバー、４  扉部材、６  操作部、７  境界、１０  収納室、１０Ａ  開口部、４１  扉、４２  トレー、５１  載置部、５２  載置部、５３  載置部、６０  電源スイッチ、６１  操作ボタン群、６２  操作ボタン群、６３  発光手段、８１  感知手段、８２  感知手段、９１  凹部、９２  凹部、１００  加熱調理器、２００  加熱調理器、３００  加熱調理器、４００  加熱調理器、Ｌ１０  距離、Ｌ１１  距離、Ｌ１２  距離、Ｌ２０  距離、Ｌ２１  距離、Ｌ２２  距離。
【図１】
2018018649.tif 000003
【図２】
2018018649.tif 000004
【図３】
2018018649.tif 000005
【図４】
2018018649.tif 000006
【図５】
2018018649.tif 000007